(57)【要約】【課題】高効率で薬液を空気中に蒸散させることが可能な薬液蒸散装置の提供。【解決手段】薬液に空気を送り込んで曝気することにより薬液を空気中に蒸散させる蒸散器１０ａ〜１０ｄと、薬液を貯留する薬液タンク１１と、蒸散器１０ａ〜１０ｄへ薬液タンク１１から薬液を供給する薬液ポンプ１２と、蒸散器１０ａ〜１０ｄへ空気を供給するエアーポンプ１３と、蒸散器１０ａ〜１０ｄにより得られた薬液を含む空気を集めるチャンバー１４と、チャンバー１４内の薬液を含む空気を送り出すブロアー１５と、蒸散器１０ｄから排出される薬液を貯める廃液タンク１６とを含む。【選択図】図２
2015130846.tif 000002
【特許請求の範囲】
【請求項１】
薬液に空気を送り込んで曝気することにより前記薬液を前記空気中に蒸散させる蒸散器と、
前記薬液を貯留する薬液タンクと、
前記蒸散器へ前記薬液タンクから前記薬液を供給する薬液ポンプと、
前記蒸散器へ前記空気を供給するエアーポンプと、
前記蒸散器により得られた前記薬液を含む空気を集めるチャンバーと、
前記チャンバー内の前記薬液を含む空気を送り出すブロアーと、
前記蒸散器から排出される薬液を貯める廃液タンクと
を含む薬液蒸散装置。
【請求項２】
前記蒸散器を複数備え、当該複数の蒸散器に前記薬液を順に通過させる構成とした請求項１記載の薬液蒸散装置。
【請求項３】
前記薬液ポンプは、可変容量型チューブポンプである請求項１または２に記載の薬液蒸散装置。
【請求項４】
前記蒸散器内の上部に消音器を有する請求項１から３のいずれか１項に記載の薬液蒸散装置。
【請求項５】
前記薬液は、有効塩素濃度５０〜５０００ｍｇ／Ｌの次亜塩素酸水溶液である請求項１から４のいずれか１項に記載の薬液蒸散装置。
【請求項６】
蒸散器にて薬液に空気を送り込んで曝気することにより前記薬液を前記空気中に蒸散させること、
前記蒸散器により得られた前記薬液を含む空気をチャンバーに集めること、
前記集めた前記薬液を含む空気をブロアーにより送り出すこと
を含む薬液蒸散方法。
【発明の詳細な説明】
【技術分野】
【０００１】
本発明は、次亜塩素酸等の薬液を空気中に蒸散させる薬液蒸散装置および薬液蒸散方法に関する。
【背景技術】
【０００２】
農業用のビニールハウス内を殺菌・消毒して植物を防疫する装置として、例えば特許文献１に記載の防疫装置が知られている。この防疫装置では、ｐＨが２．０〜７．５に調整された所定の有効塩素濃度の次亜塩素酸水の液面に空気を吹き付けて、この空気中に次亜塩素酸を蒸散させ、次亜塩素酸を含んだ空気を拡散させる。
【先行技術文献】
【特許文献】
【０００３】
【特許文献１】特開２０１１−２０１８３８号公報
【発明の概要】
【発明が解決しようとする課題】
【０００４】
上記従来の防疫装置では、次亜塩素酸水の液面に空気を吹き付けて蒸散させるため、空気中への次亜塩素酸水の蒸散量は液面と空気との接触面の大きさに依存する。そのため、蒸散効率が悪く、蒸散量を増やすためには液面を広げる必要があり、装置が大型化するという問題がある。
【０００５】
そこで、本発明においては、高効率で薬液を空気中に蒸散させることが可能な薬液蒸散装置および薬液蒸散方法を提供することを目的とする。
【課題を解決するための手段】
【０００６】
本発明の薬液蒸散装置は、薬液に空気を送り込んで曝気することにより薬液を空気中に蒸散させる蒸散器と、薬液を貯留する薬液タンクと、蒸散器へ薬液タンクから薬液を供給する薬液ポンプと、蒸散器へ空気を供給するエアーポンプと、蒸散器により得られた薬液を含む空気を集めるチャンバーと、チャンバー内の薬液を含む空気を送り出すブロアーと、蒸散器から排出される薬液を貯める廃液タンクとを含むものである。
【０００７】
また、本発明の薬液蒸散方法は、蒸散器にて薬液に空気を送り込んで曝気することにより薬液を空気中に蒸散させること、蒸散器により得られた薬液を含む空気をチャンバーに集めること、集めた薬液を含む空気をブロアーにより送り出すことを特徴とする。
【０００８】
これらの発明によれば、空気中に薬液を蒸散させ、薬液を含む空気をチャンバーから送り出すことができる。
【０００９】
また、本発明の薬液蒸散装置は、蒸散器を複数備え、当該複数の蒸散器に薬液を順に通過させる構成とすることが望ましい。これにより、薬液を複数の蒸散器に順に通過させ、より多くの空気と接触させて曝気を行い、効率良く薬液を空気中に蒸散させることができる。
【００１０】
また、薬液ポンプは、可変容量型チューブポンプであることが望ましい。これにより、薬液タンクに貯留された薬液の濃度に応じて、蒸散器への薬液供給量を調整することが可能となる。
【００１１】
また、本発明の薬液蒸散装置は、蒸散器内の上部に消音器を有することが望ましい。これにより、曝気によって生じる音を吸収することができる。
【００１２】
また、薬液が、有効塩素濃度５０〜５０００ｍｇ／Ｌの次亜塩素酸水溶液であることにより、安価な次亜塩素酸水溶液を利用して蒸散効率の高い薬液蒸散装置が得られる。
【発明の効果】
【００１３】
（１）薬液に空気を送り込んで曝気することにより薬液を空気中に蒸散させ、蒸散器により得られた薬液を含む空気をチャンバーに集め、集めた薬液を含む空気をブロアーにより送り出す構成により、薬液を無駄なく空気中に蒸散させることができ、より高効率で薬液を空気中に蒸散させることが可能となる。
【００１４】
（２）蒸散器を複数備え、当該複数の蒸散器に薬液を順に通過させる構成により、薬液を複数の蒸散器に順に通過させ、より多くの空気と接触させて曝気を行い、効率良く薬液を空気中に蒸散させることができるので、無駄なく薬液を利用することが可能となる。
【００１５】
（３）薬液ポンプが、可変容量型チューブポンプであることにより、薬液タンクに貯留された薬液の濃度に応じて、蒸散器への薬液供給量を調整し、曝気による空気中の薬液濃度を一定に保つことが可能となる。
【００１６】
（４）蒸散器内の上部に消音器を有する構成により、曝気によって生じる音を吸収し、騒音の少ない薬液蒸散装置が得られる。
【００１７】
（５）薬液が、有効塩素濃度５０〜５０００ｍｇ／Ｌの次亜塩素酸水溶液であることにより、安価な次亜塩素酸水溶液を利用して蒸散効率の高い薬液蒸散装置が得られる。
【図面の簡単な説明】
【００１８】
【図１】本発明の実施の形態における薬液蒸散装置の系統図である。
【図２】図１の薬液蒸散装置の内部系統図である。
【図３】図１の薬液蒸散装置の概略構成図である。
【図４】図２の蒸散器の拡大図であって、（ａ）は正面図、（ｂ）は右側面図である。
【図５】図３の消音器の拡大図であって、（ａ）は正面図、（ｂ）はＡ−Ａ断面図である。
【発明を実施するための形態】
【００１９】
図１は本発明の実施の形態における薬液蒸散装置の系統図、図２は図１の薬液蒸散装置の内部系統図、図３は図１の薬液蒸散装置の概略構成図、図４は図２の蒸散器の拡大図であって、（ａ）は正面図、（ｂ）は右側面図、図５は図３の消音器の拡大図であって、（ａ）は正面図、（ｂ）はＡ−Ａ断面図である。
【００２０】
図１において、本発明の実施の形態における薬液蒸散装置１は、事務所や待合室等の閉塞された室内２ａ，２ｂに布状のソックスダクト３を通じて隅々まで均等に、薬液を蒸散させた空気を送り込むものである。本実施形態において使用する薬液は、有効塩素濃度５０〜５０００ｍｇ／Ｌの次亜塩素酸水溶液である。
【００２１】
図２に示すように、薬液蒸散装置１は、薬液を空気中に蒸散させる蒸散器１０ａ，１０ｂ，１０ｃ，１０ｄと、薬液を貯留する薬液タンク１１と、蒸散器１０ａへ薬液タンク１１から薬液を供給する薬液ポンプ１２と、蒸散器１０ａ〜１０ｄへ空気を供給するエアーポンプ１３と、蒸散器１０ａ〜１０ｄにより得られた薬液を含む空気を集めるチャンバー１４と、チャンバー１４内の薬液を含む空気を送り出すブロアー１５と、蒸散器１０ｄから排出される薬液を貯める廃液タンク１６とを備える。
【００２２】
図４に示すように、蒸散器１０ａ〜１０ｄは、立方体状の容器２０内を上下方向に仕切る仕切壁２１によって区分することにより蒸散器ユニット１０として一体に構成されている。図２に示す薬液タンク１１と蒸散器ユニット１０の左端の蒸散器１０ａとは、給液管３０により接続されている。薬液ポンプ１２は、給液管３０の途中に設けられている。なお、本実施形態において、薬液ポンプ１２は、可変容量型チューブポンプである。
【００２３】
薬液は、薬液タンク１１から薬液ポンプ１２によって蒸散器１０ａの給液口２２に供給され、仕切壁２１にそれぞれ設けられたオーバーフロー管２３を通じて、蒸散器１０ｂ，１０ｃ，１０ｄへと順に供給される。また、蒸散器１０ｄの薬液は、オーバーフロー口２４から排出され、廃液管３１を通じて廃液タンク１６へ送られる。
【００２４】
また、蒸散器ユニット１０の各蒸散器１０ａ〜１０ｄの下方には、エアーポンプ１３に接続された散気管２５がそれぞれ接続されている。各散気管２５の途中には、それぞれバルブ２６ａ，２６ｂ，２６ｃ，２６ｄが設けられている。また、蒸散器ユニット１０内の上部にはチャンバー１４が一体に設けられ、このチャンバー１４内に消音器１７が備えられている。図５に示すように、消音器１７は、円筒状の管の周りに複数の開孔１７ａが形成されたものである。消音器１７は、配管３２によりブロアー１５の吹出し口に隣接した拡散チャンバー１８に接続されている。配管３２の途中には電磁弁３２ａが設けられている。
【００２５】
上記蒸散器ユニット１０、薬液タンク１１、薬液ポンプ１２、エアーポンプ１３、チャンバー１４、ブロアー１５および廃液タンク１６は、図３に示すように、１つの筐体１９内に一体的に収容されている。
【００２６】
上記構成の薬液蒸散装置１では、薬液タンク１１の薬液が、薬液ポンプ１２により給液管３０を通じて最前段の蒸散器１０ａに供給される。また、後段の蒸散器１０ｂ，１０ｃ，１０ｄには、それぞれ前段の蒸散器１０ａ，１０ｂ，１０ｃの上部のオーバーフロー管２３からオーバーフローした薬液が、順に供給される。
【００２７】
このとき、蒸散器１０ａ〜１０ｄには、エアーポンプ１３からそれぞれ散気管２５を通じて下部に空気が供給されることにより、それぞれの蒸散器１０ａ〜１０ｄ内で曝気が行われ、散気管２５から供給された空気中に薬液が蒸散される。そして、この薬液を含む空気は、蒸散器１０ａ〜１０ｄの上部チャンバー１４から消音器１７および配管３２を経て拡散チャンバー１８へ集められる。
【００２８】
そして、この拡散チャンバー１８内で薬液が蒸散された空気は、ブロアー１５によって吸気口３３から吸い込まれた空気で拡散されるとともに送気口３４から送り出され、ソックスダクト３を通じて事務所や待合室等の閉塞された室内２ａ，２ｂに送り込まれる。薬液タンク１１内の有効塩素濃度５０〜５０００ｍｇ／Ｌの次亜塩素酸水溶液は、薬液蒸散装置１内で３０ｐｐｍ程度に、さらにブロアー１５によって吸気口３３から吸い込まれた空気とともに送り込まれることによって室内２ａ，２ｂ内に０．０５〜０．５ｐｐｍの濃度で供給される。
【００２９】
このように、本実施形態における薬液蒸散装置１では、薬液に空気を送り込んで曝気することにより薬液を空気中に蒸散させ、蒸散器１０ａ〜１０ｄにより得られた薬液を含む空気をチャンバー１４に集め、集めた薬液を含む空気をブロアー１５により送り出す構成により、薬液を無駄なく空気中に蒸散させることができ、より高効率で薬液を空気中に蒸散させることが可能である。
【００３０】
また、本実施形態における薬液蒸散装置１では、複数の蒸散器１０ａ〜１０ｄに薬液を順に通過させる構成により、薬液を複数の蒸散器１０ａ〜１０ｄに順に通過させ、濃度が薄くなるまでより多くの空気と接触させて曝気を行い、効率良く薬液を空気中に蒸散させることができるので、無駄なく薬液を利用することが可能である。また、最終的に濃度が薄くなった薬液は、廃液タンク１６に回収される。
【００３１】
また、この薬液蒸散装置１では、薬液ポンプ１２が可変容量型プランジャーポンプであるため、薬液タンク１１に貯留された薬液の濃度に応じて、蒸散器１０ａ〜１０ｄへの薬液供給量を調整し、曝気による空気中の薬液濃度を一定に保つことが可能となっている。これにより、薬液として、有効塩素濃度５０〜５０００ｍｇ／Ｌの安価な次亜塩素酸水溶液を利用した蒸散効率の高い薬液蒸散装置１を実現できる。なお、薬液タンク１１と薬液ポンプ１２との間に設けた薬液センサー３５では、薬液タンク１１が空になると、このセンサーが反応し、薬液タンク１１の交換が薬液蒸散装置１に表示される。これに対し、廃液タンク１６が満杯になると、廃液タンク１６のレベルセンサー（図示せず。）が反応し、廃液タンク１６の交換も同様に表示される。
【００３２】
また、この薬液蒸散装置１では、蒸散器１０ａ〜１０ｄ内の上部のチャンバー１４に消音器１７を設けているので、複数の蒸散器で曝気によって生じる音を吸収することができるほか、消音器１７内に付着した水滴は、消音器の下方の開孔１７ａから各蒸散器１０ａ〜１０ｄ内に落下するようになっている。
【００３３】
なお、本実施形態においては、蒸散器１０ａ〜１０ｄを４段としているが、次亜塩素酸の蒸散濃度に応じて増減することが可能である。また、薬液タンク１１が空となった場合には、次亜塩素酸水溶液が充填された別の薬液タンク１１と交換することが可能である。あるいは、次亜塩素酸水溶液の生成機と薬液タンク１１とを配管により接続し、生成機から薬液タンク１１に次亜塩素酸水溶液を必要に応じて充填する構成とすることも可能である。また、本実施態様では薬液を次亜塩素酸としているが、次亜塩素酸ナトリウム、二酸化塩素、塩素、オゾン、 アルコール、ホルマリンであってもよい。
【産業上の利用可能性】
【００３４】
本発明の薬液蒸散装置は、次亜塩素酸等の薬液を空気中に蒸散させる装置として有用である。
【符号の説明】
【００３５】
１  薬液蒸散装置
２ａ，２ｂ  室内
３  ソックスダクト
１０ａ，１０ｂ，１０ｃ，１０ｄ  蒸散器
１１  薬液タンク
１２  薬液ポンプ
１３  エアーポンプ
１４  チャンバー
１５  ブロアー
１６  廃液タンク
１７  消音器
１８  拡散チャンバー
【図１】
2015130846.tif 000003
【図２】
2015130846.tif 000004
【図３】
2015130846.tif 000005
【図４】
2015130846.tif 000006
【図５】
2015130846.tif 000007